(57)【要約】【課題】アロマテラピーと、高濃度酸素を吸引することができることができる芳香酸素吸引装置の提供。【解決手段】密閉可能な芳香混合器と、一方の端部が芳香混合器内に位置している高濃度酸素導入管及び芳香酸素排出管を設け、芳香混合器の内部に芳香物質を含んだ芳香液を入れて、芳香液に通過させながら高濃度酸素を導入し、芳香性高濃度酸素を吸引する芳香酸素吸引装置である。【選択図】　図１
2004049627.tif 000002
【特許請求の範囲】
【請求項１】
芳香混合器、高濃度酸素導入管及び芳香酸素排出管を有し、芳香混合器は密閉可能な容器であり、高濃度酸素導入管の一方の端部は芳香混合器の内部の下側に位置し、芳香酸素排出管の一方の端部は芳香混合器の内部の上側に位置しており、芳香混合器の内部に芳香物質を含んだ液体を入れて密閉し、加圧した高濃度酸素を高濃度酸素導入管の他方の端部側から導入し、前記高濃度酸素が芳香混合器内で前記液体中を通過して高濃度酸素と芳香物質が混合されて芳香性高濃度酸素となり、芳香酸素排出管の他方の端部側から排出された芳香性高濃度酸素を吸引することができることを特徴とする芳香酸素吸引装置。
【請求項２】
前記芳香混合器は複数有し、高濃度酸素導入管及び芳香酸素排出管は各芳香混合器に対応して複数設けられ、芳香混合器に異なる芳香物質を含んだ液体を入れることにより、複数の芳香物質を有する芳香性高濃度酸素を吸引することができることを特徴とする請求項１に記載の芳香酸素吸引装置。
【請求項３】
高濃度酸素導入管又は芳香酸素排出管には調節可能な流量調整部が設けられ、複数の芳香物質を有する芳香性高濃度酸素の芳香物質の割合を変更することができる請求項２に記載の芳香酸素吸引装置。
【請求項４】
高濃度酸素導入管又は芳香酸素排出管には切替部が設けられ、芳香性高濃度酸素の芳香物質の種類を変更することができる請求項２又は３に記載の芳香酸素吸引装置。
【請求項５】
照明具が設けられ、前記芳香混合器は透明容器であり、前記照明具によって芳香混合器の内部の液体を照らすことができることを特徴とする請求項１〜４のいずれかに記載の芳香酸素吸引装置。
【請求項６】
請求項１〜５のいずれかに記載の芳香酸素吸引装置を用い、導入される高濃度酸素の酸素濃度が８５〜９５％であることを特徴とする芳香酸素吸引方法。
【請求項７】
芳香性高濃度酸素の出口である排出部を、鼻孔又は口の、内部又は近傍に配置して、芳香性高濃度酸素を吸引することを特徴とする請求項６に記載の芳香酸素吸引方法。
【発明の詳細な説明】
【０００１】
【発明の属する技術分野】
高濃度酸素を吸引することができ、高濃度酸素に芳香物質を混合して、アロマテラピー等に利用できる芳香酸素吸引装置に関するものである。
【０００２】
【従来の技術】
従来より、芳香成分によりリラックスすること等を目的とする、アロマテラピーと呼ばれるものが行われている。アロマテラピーの具体的な方法として、エッセンシャルオイルなどの特殊なオイルを用い、前記オイルに含まれる芳香成分を蒸発させ、部屋中に拡散させて行われていた。
【０００３】
また一方で、健康増進などの目的で、高濃度の酸素を吸引することが行われている。そして、高濃度の酸素を吸引により、血液中の酸素濃度が増えるので、赤血球が増加し、さらに、新陳代謝が活発になるという効果があると言われている。
【０００４】
【発明が解決しようとする課題】
しかしながら、従来のアロマテラピーを行う方法では、部屋中が同じ内容の芳香成分（におい）となるので、同じ部屋で同時に別の人がアロマテラピーを行うことができない。また、一旦アロマテラピーを行った後に、別の芳香成分に変更する場合、完全に換気する必要があり、途中でにおいを変更することができず、別の人が別の芳香成分によりアロマテラピーを行う場合には、換気のための時間が必要であった。
そして、アロマテラピーと、高濃度の酸素を同時に吸引することができれば、より健康に役立つものとなる。すなわち、高濃度酸素を吸引すると、血液中の酸素濃度が増えるので、赤血球が増加し、さらに、新陳代謝が活発になるという効果がある。しかし、従来のアロマテラピーの方法では高濃度の酸素を用いると、大量の酸素が部屋中充満して、酸素の助燃作用により火災の発生のおそれがあり、また、引火性ガスとの混合により爆発の危険もある
【０００５】
また、従来の高濃度酸素の吸引装置では、酸素濃度が３５〜４０％程度であったので、流量が小さいと新陳代謝を活発にするなどの効果が小さいので、高流量（９リットル／分程度）としていたが、そのために吸引の際に息がしづらいという問題があった。
【０００６】
そこで、簡単にアロマテラピーができ、少ない芳香成分でも効率よく使用することができ、同時に、問題なく高濃度酸素を吸引することができることができる芳香酸素吸引装置を提供することを課題とする。
【０００７】
【課題を解決するための手段】
そして、上記した目的を達成するための請求項１の発明は、芳香混合器、高濃度酸素導入管及び芳香酸素排出管を有し、芳香混合器は密閉可能な容器であり、高濃度酸素導入管の一方の端部は芳香混合器の内部の下側に位置し、芳香酸素排出管の一方の端部は芳香混合器の内部の上側に位置しており、芳香混合器の内部に芳香物質を含んだ液体を入れて密閉し、加圧した高濃度酸素を高濃度酸素導入管の他方の端部側から導入し、前記高濃度酸素が芳香混合器内で前記液体中を通過して高濃度酸素と芳香物質が混合されて芳香性高濃度酸素となり、芳香酸素排出管の他方の端部側から排出された芳香性高濃度酸素を吸引することができることを特徴とする芳香酸素吸引装置である。
【０００８】
請求項１に記載の発明によれば、加圧した高濃度酸素を高濃度酸素導入管の他方の端部から導入して、芳香混合器内で芳香物質が混合されるので、高濃度酸素を吸引しながらアロマテラピーができる。また、芳香酸素排出管から排出された芳香性高濃度酸素を吸引するので、少ない芳香成分でも効率よく利用することができる。
【０００９】
請求項２に記載の発明は、前記芳香混合器は複数有し、高濃度酸素導入管及び芳香酸素排出管は各芳香混合器に対応して複数設けられ、芳香混合器に異なる芳香物質を含んだ液体を入れることにより、複数の芳香物質を有する芳香性高濃度酸素を吸引することができることを特徴とする請求項１に記載の芳香酸素吸引装置である。
【００１０】
請求項２に記載の発明によれば、複数の芳香混合器を用いて、複数の芳香性高濃度酸素を吸引することができるので、使用する人の好みに合わせて芳香成分の切り替えや混合を行うことができる。
【００１１】
請求項３に記載の発明は、高濃度酸素導入管又は芳香酸素排出管には調節可能な流量調整部が設けられ、複数の芳香物質を有する芳香性高濃度酸素の芳香物質の割合を変更することができる請求項２に記載の芳香酸素吸引装置である。
【００１２】
請求項３に記載の発明によれば、高濃度酸素導入管又は芳香酸素排出管には調節可能な流量調整部が設けられて、芳香物質の割合を変更することができるので、使用する人の好みに合わせて芳香成分の微調整を行うことができる。
【００１３】
請求項４に記載の発明は、高濃度酸素導入管又は芳香酸素排出管には切替部が設けられ、芳香性高濃度酸素の芳香物質の種類を変更することができる請求項２又は３に記載の芳香酸素吸引装置である。
【００１４】
請求項４に記載の発明によれば、切替部が設けられているので、芳香物質を変更して、使用する人の好みに合わせて芳香成分を変えることができる。
【００１５】
請求項５に記載の発明は、照明具が設けられ、前記芳香混合器は透明容器であり、前記照明具によって芳香混合器の内部の液体を照らすことができることを特徴とする請求項１〜４のいずれかに記載の芳香酸素吸引装置である。
【００１６】
請求項５に記載の発明によれば、照明具により透明容器である芳香混合器の内部の液体を照らすことができるので、芳香混合器内の気泡の状況が確認でき、その確認することによって高濃度酸素の使用量が目視で確認できる。また、芳香混合器の内部の液体を着色した液体を用いた場合には、着色に応じて照らされるので美しい。
【００１７】
請求項６に記載の発明は、請求項１〜５のいずれかに記載の芳香酸素吸引装置を用い、導入される高濃度酸素の酸素濃度が８５〜９５％であることを特徴とする芳香酸素吸引方法である。
【００１８】
請求項６に記載の発明によれば、導入される高濃度酸素の酸素濃度が８５〜９５％であるので、より効果的に新陳代謝が行われ、流量が少なくても効果的に酸素を吸引することができるので、息苦しいことはない。
【００１９】
請求項７に記載の発明は、芳香性高濃度酸素の出口である排出部を、鼻孔又は口の、内部又は近傍に配置して、芳香性高濃度酸素を吸引することを特徴とする請求項６に記載の芳香酸素吸引方法である。
【００２０】
請求項７に記載の発明によれば、芳香性高濃度酸素の出口である排出部を、鼻孔又は口の、内部又は近傍に配置して吸引するので、吸引する際に周りの空気により希釈されにくく、高濃度のまま芳香性高濃度酸素を吸引することができる。
【００２１】
【発明の実施の形態】
以下さらに本発明の具体的実施例について説明する。図１は、本発明の第１の実施形態における芳香酸素吸引装置の全体を示した正面図である。図２は、芳香混合器を示した斜視図である。図３は、本発明の第１の実施形態における芳香酸素吸引装置の接続状況を示した模式図である。図４，図５は、芳香酸素吸引装置を使用する際に用いられるオキシレータである。
【００２２】
本発明の第１の実施形態である芳香酸素吸引装置１は、図１に示され、本体部材１０、芳香混合器１１、高濃度酸素導入管１２及び芳香酸素排出管１３を有している。
【００２３】
本体部材１０は、芳香混合器１１を支持するものであり、流量調整つまみ１５が設けられて、後述する流量調整弁３０の開閉状態を調整することができる。また、本体部材１０には、芳香混合器１１を照らすことのできる蛍光灯（照明具）２５が設けられている。蛍光灯２５は、本体部材の下側に位置して、芳香混合器１１を下から照らすことができる。
さらに、本体部材１０にはタイマー兼積算計２７が設置されている。タイマー兼積算計２７は、芳香酸素吸引装置１の使用を所定時間後に停止することができるタイマー機能と、芳香酸素吸引装置１の使用時間を積算して表示する積算時間表示機能を有している。そして、このタイマー機能により、使用者に一時的に使用させる場合に、所定の時間だけ使用させることができる。また、積算時間表示機能により、他人に芳香酸素吸引装置１を貸し出した場合、返却時に使用時間がわかるので、その使用時間に応じて料金を受け取ることが可能になる。
【００２４】
芳香混合器１１は、図２に示されるように密閉容器であり、容器本体部１８と蓋部１９を有している。蓋部１９は容器本体部１８の上側で着脱可能となっており、高濃度酸素導入管１２及び芳香酸素排出管１３が挿通できる貫通孔２０ａ，２０ｂが設けられている。また、芳香混合器１１は透明容器であり、内部の液体を見ることができる。
【００２５】
高濃度酸素導入管１２及び芳香酸素排出管１３は、管状であり、適度な可とう性を有している。そして、高濃度酸素導入管１２及び芳香酸素排出管１３は、芳香混合器１１ごとに設けられている。
【００２６】
芳香酸素吸引装置１は、図３に示すようにして接続して使用される。
高濃度酸素導入管１２の一方の端部は、貫通孔２０ａから芳香混合器１１の内部に、その先端が下部付近に至るように挿入されている。また、　４つの高濃度酸素導入管１２は他方の端部で管路が連結して　１つの管路となり、さらに後述する高濃度酸素発生装置５０と接続している。言い換えると、高濃度酸素導入管１２によって　４つの芳香混合器１１と高濃度酸素発生装置５０とがつながっている。本実施形態で使用される高濃度酸素発生装置５０は、３〜８リットル／分の高濃度酸素を発生させることができるものである。
また、各高濃度酸素導入管１２の中途部には、流量調整弁（流量調整部）３０が設けられている。流量調整弁３０は流量調整つまみ１５と連動しており、流量調整つまみ１５を動かすことにより、高濃度酸素導入管１２の内部を通過する高濃度酸素の流量を自由に変えることができる。
【００２７】
また、芳香酸素排出管１３の一方の端部は、貫通孔２０ｂから芳香混合器１１の内部に、その先端が上部付近に至るように挿入されている。また、　４つの芳香酸素排出管１３　は他方の端部で管路が連結して　１つの管路となり、さらに後述するオキシレータ５５と接続している。言い換えると、芳香酸素排出管１２によって、　４つの芳香混合器１１とオキシレータ５５とがつながっている。
オキシレータ５５は、図４，図５に示されるように可とう性のある管状であって、芳香酸素排出管１３側から導入された芳香酸素を、鼻孔又は口の、内部又は近傍に排出部６０から排出することができるものである。
【００２８】
図４に示されるオキシレータ５５ａは、排出部６０が２カ所あり、排出部６０が鼻孔内に配置して、耳に引っかけて保持するものである。
また、図５に示されるオキシレータ５５ｂは、保持部６１を有しており、保持部６１によって頭部に嵌めてオキシレータ５５ｂを保持することのできるものである。そして、オキシレータ５５ｂを保持すると排出部６０が口の前付近に位置するものである。
【００２９】
芳香酸素吸引装置１を用いて、芳香酸素を吸引する方法について説明する。
まず、４つの芳香混合器１１に、芳香成分を含む液体である芳香液５１を入れる。この作業は、芳香混合器１１の蓋部１９を開けて、容器本体部１８に入れることにより行われる。そして、蓋部１９を容器本体部１８に取り付ける。この状態では芳香混合器１１は密閉状態であり、高濃度酸素導入管１２及び芳香酸素排出管１３以外には気体や液体などが外部に漏れることはない。
各芳香混合器１１には、種類の異なる芳香液５１を入れる。芳香液５１に用いられる芳香物質は、使用者の好みに合わせて適当なものを選んで用いる。
芳香液５１の水面は、芳香混合器１１の内部に位置する高濃度酸素導入管１２の端部よりも上側に位置し、芳香酸素排出管１３の端部よりも下側に位置している。
芳香液５１は、着色されたものが用いられている。そして、芳香液５１の芳香成分によって、異なる色によって着色されている。
【００３０】
さらに、高濃度酸素発生装置５０及びオキシレータ５５を取り付ける。取付方法は上記したとおりである。また、使用者は、図４，図５に示されるように排出口５６を口又は鼻付近となる様にして、オキシレータ５５を装着する。
【００３１】
そして、高濃度酸素導入管１２に高濃度酸素発生装置５０を用いて、加圧することによって高濃度酸素を導入する。加圧の程度は、芳香混合器１１内の芳香液５１の静水圧よりも大きく、高濃度酸素導入管１２の一方の端部から高濃度酸素が排出される程度であればよく、比較的小さい圧力である。
【００３２】
高濃度酸素発生装置５０は、どのようなものを用いても良いが、酸素濃度が高い高濃度酸素が発生させるものが望ましい。本実施例においては、酸素濃度が８５〜９５％の高濃度酸素を発生することができる高濃度酸素発生装置５０が用いられている。この高濃度酸素発生装置５０は、合成等により発生させるものでなく、空気中の酸素以外のガス（窒素等）を取り除いて発生させるものであるので、活性酸素などの発生はなく、高濃度で安全な高濃度酸素を作ることができる。
【００３３】
また、１台の高濃度酸素発生装置５０に２台の芳香酸素吸引装置１が接続されている。すなわち、本実施形態における高濃度酸素発生装置５０の高濃度酸素の発生能力は、上記したように約３〜８リットル／分であり、１台の高濃度酸素発生装置５０に２台の芳香酸素吸引装置１を接続しても、１台あたり約４リットル／分程度の流量が確保できるので、１台の高濃度酸素発生装置５０で同時に２台の芳香酸素吸引装置１を使用することができる。
【００３４】
そして、高濃度酸素は、高濃度酸素導入管１２を通って、芳香混合器１１の中に入る。このとき、芳香混合器１１内の高濃度酸素導入管１２の端部は、芳香液５１よりも下側であり、高濃度酸素導入管１２から芳香混合器１１内に入った高濃度酸素は、芳香液５１内を気泡となって上昇しながら通過し、芳香液５１内の芳香物質を混合され、芳香性高濃度酸素となって上昇する。
さらに、芳香性高濃度酸素は、芳香酸素排出管１３によって芳香混合器１１から出て、オキシレータ５５に移動し、オキシレータ５５により芳香性高濃度酸素は排出部６０から使用者の鼻孔や口付近等に排出される。
【００３５】
また、本実施形態では、高濃度酸素の酸素濃度は約８５〜９５％であり、吸引する際には、空気と混合して約５０％の酸素濃度になり、健康維持に理想的な濃度になる、また、流量は約４〜５リットル／分と流量が少ないので、吸引時に息が苦しくなるなどの問題も少ない。
【００３６】
また、流量調整つまみ１５を動かすことにより、芳香成分の割合を変更することができる。
具体的には、使用者が芳香成分の濃度を変更したい所定の流量調整つまみ１５を動かす。そうすると、対応する流量調整弁３０が動き、高濃度酸素導入管１２の内部を通過する高濃度酸素の流量を変更することができる。そして、所定の芳香混合器１１の中を通過する高濃度酸素が増加・減少する。
この操作は、使用中に適宜行うことができるので、においを確認しながら行うことができ、便利である。
【００３７】
さらに、各高濃度酸素導入管１２の分岐部分等に流路を切り替えることのできる切替部を設けてもよい。そして、切替部を設けた場合には、芳香混合器１１を通過する高濃度酸素の流れを切り替えることができるので、芳香性高濃度酸素の芳香物質の種類を変更することができる。
【００３８】
また、使用の際には、芳香酸素吸引装置の蛍光灯２５により、芳香混合器１１内の着色された芳香液５１が照らされるので、芳香液５１が美しく見える。
【００３９】
【発明の効果】
本発明は、上述の通り構成されているので、芳香酸素吸引装置を用いることにより、簡単にアロマテラピーができ、少ない芳香成分でも効率よく使用することができ、高濃度酸素を吸引することができる。
【図面の簡単な説明】
【図１】本発明の第１の実施形態における芳香酸素吸引装置の全体を示した正面図である。
【図２】芳香混合器を示した斜視図であり、（ａ）は、使用状態を示した図であり、（ｂ）は、蓋部を取り外した状態での図である。
【図３】本発明の第１の実施形態における芳香酸素吸引装置の接続状況を示した模式図である。
【図４】芳香酸素吸引装置を使用する際に用いられるオキシレータである。
【図５】芳香酸素吸引装置を使用する際に用いられるオキシレータである。
【符号の説明】
１　　芳香酸素吸引装置
１１　芳香混合器
１２　高濃度酸素導入管
１３　芳香酸素排出管
２５　蛍光灯（照明具）
３０　流量調整弁（流量調整部）
５１　芳香液
６０　排出部
【図１】
2004049627.tif 000003
【図２】
2004049627.tif 000004
【図３】
2004049627.tif 000005
【図４】
2004049627.tif 000006
【図５】
2004049627.tif 000007